(57)【要約】  【課題】  中枠の開閉動作を妨げることなく、外枠の下部を光らせることができる遊技機を提供する。  【解決手段】  パチンコ機１では、中枠１２の背面に固定されたＬＥＤ装置のＬＥＤが発光すると、その光は光ファイバー３０を介して、外枠１１の幕板１９に設けられた貫通孔２０に伝達されて貫通孔２０が光る。このようなパチンコ機１では、幕板１９の貫通孔２０には、光ファイバー３０の一端部が嵌挿され、他端部はＬＥＤに離間して対向している。これにより、中枠１２の開放時は、光ファイバー３０は幕板１９側に保持され、中枠１２だけが回動するので、外枠１１と中枠１２との間で光ファイバー３０が引っ張られない。また、中枠１２が閉塞されても、光ファイバー３０の他端部とＬＥＤとは離間しているので互いに衝突しない。よって、パチンコ機１における中枠１２のスムーズな開閉動作を提供できる。【選択図】  図２
2006320345.tif 000002
【特許請求の範囲】
【請求項１】
矩形状の外枠と、当該外枠の遊技者に対向する前面に着脱可能に装着され、かつ回動可能に軸支された矩形状の中枠とを備えた遊技機であって、
前記中枠に設けられた発光手段と、
前記外枠の下部に設けられ、当該下部の長手方向に交差して貫通する貫通孔と、
当該貫通孔に一端部が嵌挿され、当該一端部とは反対の他端部が前記発光手段に対向する光ファイバーと
を備え、
前記中枠の閉塞時は、前記光ファイバーの前記他端部が前記発光手段に対向し、
前記中枠の開放時は、前記光ファイバーの前記他端部が、前記発光手段から離間することを特徴とする遊技機。
【請求項２】
前記貫通孔は複数設けられ、
前記発光手段及び前記光ファイバーは、前記貫通孔に対応する数だけ各々設けられていることを特徴とする請求項１に記載の遊技機。
【請求項３】
前記発光手段は、前記中枠の軸支側に設けられ、
前記貫通孔は複数設けられ、
当該複数の前記貫通孔に各々嵌挿された複数の前記光ファイバーの各他端部は、前記中枠の閉塞時の前記発光手段に対向する位置に集められていることを特徴とする請求項１に記載の遊技機。
【請求項４】
矩形状の外枠と、当該外枠の遊技者に対向する前面に着脱可能に装着され、かつ回動可能に軸支された矩形状の中枠とを備えた遊技機であって、
前記中枠に設けられた発光手段と、
当該発光手段に一端部が対向して固定された光ファイバーと、
前記外枠の下部に設けられ、当該下部の長手方向に交差して貫通し、前記光ファイバーの前記一端部とは反対の他端部が挿入される貫通孔と
を備え、
前記中枠の閉塞時は、前記貫通孔に前記光ファイバーの前記他端部が挿入され、
前記中枠の開放時は、前記貫通孔から前記光ファイバーの前記他端部が抜かれることを特徴とする遊技機。
【請求項５】
矩形状の外枠と、当該外枠の遊技者に対向する前面に着脱可能に装着され、かつ回動可能に軸支された矩形状の中枠とを備えた遊技機であって、
前記中枠に設けられた発光手段と、
当該発光手段に一端部が対向して固定された第１の光ファイバーと、
前記外枠の下部に設けられ、当該下部の長手方向に交差して貫通する貫通孔と、
当該貫通孔に一端部が嵌挿された第２の光ファイバーと
を備え、
前記中枠の閉塞時は、前記第１の光ファイバーの前記一端部とは反対の他端部と、前記第２の光ファイバーの前記一端部とは反対の他端部とが互いに対向し、
前記中枠の開放時は、前記第１の光ファイバーの前記他端部と、前記第２の光ファイバーの前記他端部とが互いに離間することを特徴とする遊技機。
【発明の詳細な説明】
【技術分野】
【０００１】
本発明は、遊技機に関し、詳細には、遊技盤面上に役物が固定された遊技機に関する。
【背景技術】
【０００２】
従来、遊技機（例えば、パチンコ機）の前面には、多数のランプ類（枠ランプ、コーナー飾りランプ、サイド飾りランプ、装飾風車のＬＥＤ、普通図柄記憶表示ＬＥＤ、特別図柄記憶表示ＬＥＤなど）が配設されている。そして、遊技が開始され、大当たり等が発生した場合には、遊技盤面に隣接して設けられているランプ類の点滅が行われるとともに、賞球（遊技球）の払出が行われる。さらに、払い出された遊技球は上受皿や下受皿に貯留され、貯留可能な遊技球数を超えると、遊技店側が用意している球箱で上受皿や下受皿から溢れた遊技球を貯留するようになっている。
【０００３】
このような一般的なパチンコ機では、下受皿の下方の外枠の一部を形成する幕板にはランプ類が設けられていない。これは、大当たり等の発生により下受皿で貯留可能な遊技球数を超える賞球の払出が行われる場合に、下受皿に貯留された遊技球数を受けるための球箱を幕板前面に配置するため、幕板前面が球箱に隠れてしまうからである。しかしながら、パチンコ店によっては、遊技開始時から大当たり等の発生により下受皿で貯留可能な遊技球数を超える賞球の払出が行われるまでは、球箱を幕板の前面に配置しない店がある。このような店に立ち並ぶパチンコ機では、少なくとも遊技開始時では、幕板前面が遊技者側に露出した状態となっているため、少なくとも遊技者の遊技意欲を沸かせるものではない。そこで、例えば、幕板の前部に、発光手段としてのＬＥＤを内蔵する装飾カバーを設け、そのＬＥＤを点灯させることで幕板の装飾効果を高めることができる遊技機が知られている（例えば、特許文献１参照）。
【特許文献１】特開２００３−１１１９３２号公報
【発明の開示】
【発明が解決しようとする課題】
【０００４】
しかしながら、特許文献１に記載の遊技機では、幕板の内部に設けられたＬＥＤは、幕板に設けられた幕板ＬＥＤ基板に接続され、該幕板ＬＥＤ基板は、内枠（中枠）の側に設けられた主基板に配線を介して電気的に接続されている。このため、例えば、遊技盤のメンテナンス作業等で内枠を開く際に、幕板ＬＥＤ基板及び主基板の何れかに接続された配線の一端をわざわざ外したり接続したりする作業が必要となるため不便という問題点があった。さらに、その配線の一端を外すのを忘れてそのまま中枠を勢いよく開いてしまうと、内枠と幕板との間で配線が引っ張られて断線することもあった。また、このパチンコ機では、幕板の前部全体を光らせる部分毎にＬＥＤを各々設けているため、ＬＥＤにかかるコストが増大する問題点もあった。
【０００５】
本発明は、上述の課題を解決するためになされたものであり、中枠の開閉動作を妨げることなく、外枠の下部を光らせることができる遊技機を提供することを目的とする。
【課題を解決するための手段】
【０００６】
上記目的を達成するために、請求項１に係る発明の遊技機では、矩形状の外枠と、当該外枠の遊技者に対向する前面に着脱可能に装着され、かつ回動可能に軸支された矩形状の中枠とを備えた遊技機であって、前記中枠に設けられた発光手段と、前記外枠の下部に設けられ、当該下部の長手方向に交差して貫通する貫通孔と、当該貫通孔に一端部が嵌挿され、当該一端部とは反対の他端部が前記発光手段に対向する光ファイバーとを備え、前記中枠の閉塞時は、前記光ファイバーの前記他端部が前記発光手段に対向し、前記中枠の開放時は、前記光ファイバーの前記他端部が、前記発光手段から離間する。
【０００７】
また、請求項２に係る発明の遊技機では、請求項１に記載の発明の構成に加え、前記貫通孔は複数設けられ、前記発光手段及び前記光ファイバーは、前記貫通孔に対応する数だけ各々設けられている。
【０００８】
また、請求項３に係る発明の遊技機では、請求項１に記載の発明の構成に加え、前記発光手段は、前記中枠の軸支側に設けられ、前記貫通孔は複数設けられ、当該複数の前記貫通孔に各々嵌挿された複数の前記光ファイバーの各他端部は、前記中枠の閉塞時の前記発光手段に対向する位置に集められている。
【０００９】
また、請求項４に係る発明の遊技機では、矩形状の外枠と、当該外枠の遊技者に対向する前面に着脱可能に装着され、かつ回動可能に軸支された矩形状の中枠とを備えた遊技機であって、前記中枠に設けられた発光手段と、当該発光手段に一端部が対向して固定された光ファイバーと、前記外枠の下部に設けられ、当該下部の長手方向に交差して貫通し、前記光ファイバーの前記一端部とは反対の他端部が挿入される貫通孔とを備え、前記中枠の閉塞時は、前記貫通孔に前記光ファイバーの前記他端部が挿入され、前記中枠の開放時は、前記貫通孔から前記光ファイバーの前記他端部が抜かれる。
【００１０】
また、請求項５に係る発明の遊技機では、矩形状の外枠と、当該外枠の遊技者に対向する前面に着脱可能に装着され、かつ回動可能に軸支された矩形状の中枠とを備えた遊技機であって、前記中枠に設けられた発光手段と、当該発光手段に一端部が対向して固定された第１の光ファイバーと、前記外枠の下部に設けられ、当該下部の長手方向に交差して貫通する貫通孔と、当該貫通孔に一端部が嵌挿された第２の光ファイバーとを備え、前記中枠の閉塞時は、前記第１の光ファイバーの前記一端部とは反対の他端部と、前記第２の光ファイバーの前記一端部とは反対の他端部とが互いに対向し、前記中枠の開放時は、前記第１の光ファイバーの前記他端部と、前記第２の光ファイバーの前記他端部とが互いに離間する。
【発明の効果】
【００１１】
請求項１に係る発明の遊技機では、中枠が閉じられた時は、光ファイバーの他端部が発光手段に対向するので、発光手段によって照射された光は、光ファイバーを介して、中枠の下部の貫通孔に伝達される。これにより、外枠の下部を光らせて遊技における演出効果を向上させることができる。一方、中枠が開放される時は、貫通孔に挿入された光ファイバーの他端部が発光手段から離間する。したがって、中枠が回動する際に、光ファイバーが外枠と内枠との間で引っ張られないので、中枠の開閉を妨げない。
【００１２】
また、請求項２に係る発明の遊技機では、請求項１に記載の発明の効果に加え、複数の貫通孔に対応する光ファイバーと、発光手段とが設けられているので、例えば、複数の発光手段が発光する光の色をそれぞれ変えることで、外枠の下部の演出効果をさらに向上できる。
【００１３】
また、請求項３に係る発明の遊技機では、請求項１に記載の発明の効果に加え、中枠の閉塞時において、複数の貫通孔に各々嵌挿された複数の光ファイバーの各他端部は、発光手段に向かって配索されて集められ、発光手段に向かって対向している。これにより、発光手段の数を少なくしても、複数の光ファイバーを介して、複数の貫通孔に光を伝達して中枠の下部を光らせることができる。また、発光手段が、中枠の軸支側に設けられていることから、中枠が回動しても、発光手段の回動範囲は狭くなる。したがって、発光手段と、複数の光ファイバーの各他端部とが対向する位置にズレが生じにくくなる。
【００１４】
また、請求項４に係る発明の遊技機では、中枠が閉じられる時は、発光手段に一端部が対向して固定された光ファイバーの他端部を貫通孔に挿入させる。一方、中枠が開放される時は、貫通孔に他端部が挿入された光ファイバーが中枠とともに回動されるので、光ファイバーの他端部が貫通孔から引き抜かれる。これにより、中枠が回動する際に、光ファイバーが外枠と内枠との間で引っ張られることがないので中枠の開閉を妨げない。
【００１５】
また、請求項５に係る発明の遊技機では、中枠が閉じられた時に、発光手段に一端部が対向して固定された第１の光ファイバーの他端部が、貫通孔に一端部が嵌挿された第２の光ファイバーの他端部と対向する。これにより、発光手段によって照射された光は、第１の光ファイバーと第２の光ファイバーとを介して、外枠の下部を光らせることができる。一方、中枠が開放される時は、発光手段に一端部が固定された第１の光ファイバーが中枠とともに回動されるので、第２の光ファイバーの他端部が、第１の光ファイバーの他端部から離間する。これにより、中枠が回動する際に、光ファイバーが外枠と内枠との間で引っ張られることもないので中枠の開閉を妨げない。
【発明を実施するための最良の形態】
【００１６】
以下、本発明に係る遊技機の第１の実施形態であるパチンコ機１について、図面に基づいて説明する。図１は、第１の実施形態であるパチンコ機１の全体斜視図であり、図２は、パチンコ機１の正面図であり、図３は、パチンコ機１の背面図であり、図４は、外枠１１を背面側から見た斜視図であり、図５は、ＬＥＤ装置４０と複数の光ファイバー３０との位置関係を示す外枠１１と中枠１２との分解斜視図であり、図６は、中枠１２が閉塞された状態のパチンコ機１の右側面図であり、図７は、中枠１２が開放された状態のパチンコ機１の右側面図である。また、図１の紙面手前側をパチンコ機１の前面側とし、紙面奥行き側をパチンコ機１の背面側とする。さらに、図４の紙面手前側を外枠１１の背面側とし、紙面奥行き側を外枠１１の前面側とする。
【００１７】
なお、第１の実施形態であるパチンコ機１では、図５に示すように、中枠１２の背面の下端部に固定されたＬＥＤ装置４０のＬＥＤ５０から発せられた光を、光ファイバー３０を介して、外枠１１の幕板１９に設けられた貫通孔２０に伝達し、遊技中に幕板１９の貫通孔２０を光らせることができるものである。さらに、このパチンコ機１は、幕板１９の貫通孔２０に、Ｌ字状の光ファイバー３０の一端部（発光端部３０ａ）を嵌挿させ、その反対の他端部（受光端部３０ｂ）を、中枠１２の下端部に固定されたＬＥＤ装置４０のＬＥＤ５０に離間して対向させている点に特徴を有する。そして、この構造により、中枠１２が回動して開かれても、光ファイバー３０は外枠１１側に保持されているため、外枠１１と中枠１２との間で光ファイバー３０が引っ張られず、中枠１２の開放動作が妨げられるのを防ぐことができる。
【００１８】
はじめに、パチンコ機１の概略構成について説明する。図１乃至図３に示すように、パチンコ機１は、ホールの島設備（図示外）に取り付けられる略矩形状の外枠１１を備え、当該外枠１１の遊技者に対向する前面側には、略矩形状の中枠１２が支持されている。そして、外枠１１の左縦板１１ｃ（図４参照）の上下部には、上ヒンジ５４と下ヒンジ５６（図２，図４参照）とが各々設けられ、これら上ヒンジ５４と下ヒンジ５６とによって、図１に示す中枠１２が開閉可能に軸支されている。さらに、図１，図２に示すように、中枠１２の上半分には、正面視略円形状のガラス板１３ａを略中央に保持するガラス枠１３が開閉可能に軸支されている。また、中枠１２の下半分の上部には、発射機に遊技球を供給し、かつ賞品球を受けるための上皿５が設けられている。さらに、その上皿５の直下には、賞品球を受けるための下皿６が設けられ、その下皿６の右横には遊技球の発射を調整する発射ハンドル７が設けられている。一方、図２に示すように、ガラス枠１３の右上のコーナーにはスピーカ２３が設けられ、ガラス枠１３の左上のコーナーにもスピーカ２４が設けられている。また、ガラス枠１３に保持されたガラス板１３ａの後方には、中枠１２の上半分に支持されるとともに、発射ハンドル７の操作によって発射機から発射された遊技球が流下する遊技盤（図示外）が設けられている。そして、この遊技盤は、自身の前方に位置するガラス板１３ａによって保護されている。
【００１９】
また、図２に示すように、外枠１１の下部を構成する幕板１９には、幕板１９の前後方向に貫通する１６個の貫通孔２０が穿設され、上下２段に８個ずつ略水平に並んで列設されている。そして、それら１６個の貫通孔２０には、図５に示すように、略Ｌ字状に成形された光ファイバー３０の一端部（後述する発光端部３０ａ）が外枠１１の背面側から各々嵌挿されている。さらに、図３，図６に示すように、これら１６本の光ファイバー３０の各一端部とは反対の各他端部（後述する受光端部３０ｂ）は、中枠１２の背面の下端部に沿って設けられた後述するＬＥＤ装置４０の１６個のＬＥＤ５０に、所定の隙間を空けて対向している。このような構造により、ＬＥＤ装置４０の１６個のＬＥＤ５０から発せられた光は、各光ファイバー３０を介して、幕板１９の各貫通孔２０に伝達され、幕板１９の前面に設けられた１６個の貫通孔２０が光って見えるようになっている。なお、これら貫通孔２０を光らせる構造については後に詳しく説明する。
【００２０】
一方、図３に示すように、パチンコ機１の背面側は、外枠１１を介して、中枠１２の背面側に組み付けられた各種部品や装置が外側に露出された状態となっている。そして、中枠１２の背面には、正面視略Ｌ字型の機構盤７８が組み付けられ、該機構盤７８には、透明な樹脂からなるセンターカバー８０、基板ボックス８１，８２が各々設けられている。さらに、これらセンターカバー８０、基板ボックス８１，８２の内側には、球払出装置、主基板、サブ統合基板、表示基板、払出基板、カード基板などの各種基板（図示外）が各々配設されている。また、機構盤７８の上部には、中継基板（図示外）を備えた中継基板ボックス７５が設けられている。さらに、センターカバー８０の上方には、遊技機設置島から供給される遊技球を貯留する球タンク８５が設けられ、当該球タンク８５の下部には、タンク内の遊技球が通過するための球タンクレール８６が配設されている。そして、その球タンクレール８６の遊技球が流れる方向の下流側一端部は、機構盤７８の遊技球樋８７の上流側に接続されている。このような構造により、遊技球樋８７を通過した遊技球は、発射機（図示外）に向かって供給され、遊技盤に向かって遊技球が発射されるようになっている。
【００２１】
次に、外枠１１について説明する。図４に示すように、外枠１１は、ホールの島設備（図示外）に取り付けられるパチンコ機１の本体を支持する正面視略矩形状の支持枠である。この外枠１１は、天板１１ａ、右縦板１１ｂ、左縦板１１ｃ、地板１１ｄ及び幕板１９とで構成され、全て木板から形成されている。なお、これら全てをプラスチック製、或いは一部をプラスチック製にしても良い。そして、右縦板１１ｂ、左縦板１１ｃ及び天板１１ａは、パチンコ機１の前後方向における板幅が互いに等しく形成され、各前面及び背面が同一平面上で揃っている。これに対し、地板１１ｄは前後方向の板幅は、他の天板１１ａ、右縦板１１ｂ及び左縦板１１ｃよりも大きく形成され、その分だけ前方に張り出している。さらに、外枠１１の前面下部には、地板１１ｄの張り出し幅よりも小さい板厚を有する角柱状の幕板１９が起立状に設けられている。この幕板１９は、右縦板１１ｂ，左縦板１１ｃの前面に掛け渡されるとともに、該右縦板１１ｂ及び左縦板１１ｃに固着され、地板１１ｄの前方への張り出し部分の上面に当接して支持されている。そして、このような幕板１９により、外枠１１が補強されている。また、天板１１ａと左縦板１１ｃとが接する角部の外側面には上ヒンジ５４が固定されている。一方、図５に示すように、幕板１９の左側上面と左縦板１１ｃとには軸ピン５６ａを有する下ヒンジ５６が３本のビス１７によって固定されている。そして、これら上ヒンジ５４及び下ヒンジ５６によって、中枠１２の軸支構造を構成している。
【００２２】
さらに、図４に示すように、幕板１９の長手方向略中間部よりやや右側（図４の左側）の上面には、樹脂からなる平板状の中枠滑り板１６が固定されている。この中枠滑り板１６は、中枠１２のスムーズな開閉動作を確保するための部材であり、例えば、中枠１２を閉じる際、自身の重みで片側に傾いた中枠１２の下端部が、幕板１９の前面に衝突しないよう、中枠滑り板１６の上面に摺動させて、幕板１９の上面に乗り上げさせるものである。これにより、片下がりの生じた中枠１２であっても、外枠１１に対してスムーズに開閉することができる。
【００２３】
そして、図５に示すように、幕板１９には、幕板１９の長手方向に直交して、幕板１９の前面及び背面を貫通する１６個（図５では６個のみ図示）の貫通孔２０が各々穿設されている。これら１６個の貫通孔２０は、上下２段に各８個ずつ横並びに列設されている。さらに、これら１６個の貫通孔２０には、略Ｌ字状に成形された光ファイバー３０の一端部（後述する発光端部３０ａ）が各々嵌挿され、その反対の他端部（後述する受光端部３０ｂ）は上方に向けられている。そして、貫通孔２０の内径は、光ファイバー３０の径とほぼ同じ径（又はやや短い径）に調整されているので、光ファイバー３０の一端部を貫通孔２０に挿入するだけで貫通孔２０に隙間なく嵌めることができ、さらに接着剤等で固定することにより、確実に固定することができる。なお、貫通孔２０は、幕板１９の前面及び背面を貫通するとともに、幕板１９の長手方向（左右方向）に少なくとも交差していればよく、必ずしも直交していなくてもよい。また、貫通孔２０の数は１６個に限らず、これより多くても少なくてもよい。
【００２４】
次に、光ファイバー３０について説明する。図５に示す光ファイバー３０は、発光伝達素材であり、特殊なアクリル樹脂からなる芯状のコアと、該コアの外周面を覆い、フッ素樹脂系からなる円筒状のグラッドとから構成されている。そして、その径は、例えば、φ７．８ｍｍ±０．３ｍｍに調整され、非発光時の色は透明又は乳白色を呈している。さらに、光ファイバー３０は柔軟性と成形性とを備えているので、本実施形態のように略Ｌ字型に形状を変化させることができる。そして、この光ファイバー３０の一端部が、貫通孔２０に嵌挿されて発光する発光端部３０ａとなり、その反対の他端部が、後述するＬＥＤ装置４０の各ＬＥＤ５０に対向して、該ＬＥＤ５０から発せられた光を受ける受光端部３０ｂとなる。これにより、ＬＥＤ５０から発せられた光は、光ファイバー３０の受光端部３０ｂから受光され、発光端部３０ａに伝達されるので、幕板１９の前面の１６個の貫通孔２０を光らせることができる。なお、本実施形態で使用された光ファイバー３０は、住友スリーエム株式会社製の「アクリル樹脂発光伝達素材・ＬＥＤ専用ファイバー（商品名：ライトストリング）」であるが、これに限らず、発光伝達素材として使用可能な光ファイバーであれば変更可能である。
【００２５】
次に、中枠１２について説明する。図２に示すように、中枠１２は、正面視略矩形状に形成され、その大きさは、外枠１１の地板１１ｄと幕板１９を除く前面を覆う程度に形成されている。そして、中枠１２の前面側の上半分には、遊技盤（図示外）が組み付けられ、下半分には、上述した上皿５、下皿６等が組み付けられている。一方、中枠１２の背面側には、上述した機構盤７８や、センターカバー８０、基板ボックス８１，８２等が組み付けられている。さらに、図５に示すように、中枠１２の左端部の下側の角部近傍には、下ヒンジ５６とともに下ヒンジ構造を構成する断面略Ｌ字状の掛け部３５が、ビス１７，１７で固定されている。この掛け部３５には、下ヒンジ５６の軸ピン５６ａに挿入するための孔部３５ａが穿設され、下ヒンジ５６の軸ピン５６ａに、この掛け部３５の孔部３５ａを挿入することによって、中枠１２の左端部の下側が軸支される。なお、中枠１２の左端部の上側の角部近傍には、上方に向かって突出する軸ピン（図示外）が設けられており、該軸ピンが、外枠１１の上ヒンジ５４とともに上ヒンジ構造を構成することにより、中枠１２の左端部の上側が軸支される。こうして、中枠１２全体が外枠１１に対して開閉可能に軸支される。
【００２６】
一方、図３，図７に示すように、中枠１２の背面の下端部近傍には、該下端部の長手方向に沿って延設された正面視略長方形状のＬＥＤ装置４０が設けられている。さらに、このＬＥＤ装置４０の後述するＬＥＤ基板保持部４１の底面側には、１６個のＬＥＤ５０が、上記貫通孔２０の配列に対応するようにして設けられている。そして、中枠１２が閉塞された際は、幕板１９の各貫通孔２０に保持された１６本の光ファイバー３０の各受光端部３０ｂ（図５参照）が、ＬＥＤ装置４０の各ＬＥＤ５０に対して、所定の隙間を介して各々対向するようになっている。
【００２７】
次に、本発明の特徴であるＬＥＤ装置４０について説明する。図３，図７に示すＬＥＤ装置４０は、１６個のＬＥＤ５０を光らせるための装置である。そして、図５に示すように、このＬＥＤ装置４０は、１６個のＬＥＤ５０と、それら１６個のＬＥＤ５０が設けられたＬＥＤ基板（図示外）を保持する略直方体状のＬＥＤ基板保持部４１と、当該ＬＥＤ基板保持部４１を中枠１２の背面の下端部近傍に固定するための断面略クランク状に成形された金属板である固定金具４２とで構成されている。
【００２８】
まず、固定金具４２は、図５に示すように、中枠１２の背面の下端部近傍に当接して固定される略長方形状の固定片４３と、該固定片４３の幅方向一端部から、略直角に折り返して延設された第１保持片４４と、該第１保持片４４の延設方向の先端部から、固定片４３とは反対側に略直角に折り返して延設された第２保持片４５と、該第２保持片４５の先端部に設けられ、第１保持片４４側に向かって鉤状に突出する鉤部４６とから構成されている。そして、ＬＥＤ基板保持部４１の天面が、接着剤等によって第２保持片４５の裏面に接着されることにより、第１保持片４４と第２保持片４５と鉤部４６とに囲まれた領域内にＬＥＤ基板保持部４１が配置されて固定されるようになっている。なお、固定金具４２へのＬＥＤ基板保持部４１の固定方法は接着剤に限らず、ボルトのようなネジで固定するようにしてもよい。
【００２９】
また、図５に示すように、固定片４３には、自身の長手方向に平行に５つの固定孔４３ａ（図５では、１つのみ図示）が互いに間隔を空けて各々穿設されている。そして、図３に示すように、中枠１２の背面の下端部近傍におけるＬＥＤ装置４０の固定部分に、上記構成からなるＬＥＤ装置４０の固定金具４２の固定片４３を当接し、５つの固定孔４３ａ（図５では１つのみ図示）にビス１８を各々挿入して、中枠１２側の固定孔（図示外）に各々締め付けることによって（図３参照）、ＬＥＤ装置４０全体が中枠１２の背面側の下端部近傍に固定される。
【００３０】
一方、ＬＥＤ基板保持部４１は、自身の底面側に１６個のＬＥＤ５０を備えるＬＥＤ基板（図示外）を保持するものである。そして、そのＬＥＤ基板は、図示外の配線を介して、基板ボックス８１（図３参照）内に設けられた主基板（図示外）に電気的に接続されている。これにより、ＬＥＤ５０の発光タイミングは、基板ボックス８１内の主基板（図示外）に設けられたＣＰＵ（図示外）によって制御されている。
【００３１】
また、ＬＥＤ基板保持部４１の底面に露出された１６個のＬＥＤ５０は、周知の発光ダイオードであり、赤、青、緑及び白の何れの色の発光ダイオードを用いてもよい。なお、１６個のＬＥＤ５０を全て同じ色にする他に、例えば、ＬＥＤ基板保持部４１の裏面における各位置でＬＥＤ５０の色を変えたり、パチンコ機１の遊技状態（例えば、リーチ状態や大当たり状態等）によって、各ＬＥＤ５０の発光タイミングをそれぞれずらすなどしてもよい。なお、図５に示すＬＥＤ５０が発光手段に相当する。
【００３２】
次に、上記構成からなるパチンコ機１において、中枠１２の閉塞時における幕板１９の貫通孔２０を光らせる方法について説明する。図３，図６に示すように、中枠１２の閉塞時において、ＬＥＤ装置４０のＬＥＤ基板保持部４１に設けられた１６個のＬＥＤ５０には、各ＬＥＤ５０にそれぞれ対応する各光ファイバー３０の受光端部３０ｂ（図５参照）がそれぞれ対向している。このとき、各ＬＥＤ５０の先端部と光ファイバー３０の受光端部３０ｂとは、所定の隙間を介して互いに対向している。これは、中枠１２が回動して開かれる際に、光ファイバー３０の受光端部３０ｂが他のＬＥＤ５０の先端部に当たって引っ掛かるのを防ぐためである。そして、主基板に設けられたＣＰＵ（図示外）からＬＥＤ装置４０のＬＥＤ基板保持部４１のＬＥＤ基板に向かって制御信号が出力されると、その制御信号にしたがってＬＥＤ基板の各ＬＥＤ５０が点灯（又は点滅）するようになっている。
【００３３】
そして、点灯（又は点滅）するＬＥＤ５０から発せられた光によって、光ファイバー３０の受光端部３０ｂが照らされる。すると、受光端部３０ｂに照らされた光は、光ファイバー３０の発光端部３０ａまで伝達されるので、発光端部３０ａが発光する。このとき、パチンコ機１を前方から見ると、図２に示すように、幕板１９に設けられた各貫通孔２０全体が発光して見える。このようにして、幕板１９を部分的に光らせることによって、幕板１９の見栄え（装飾効果）を向上させることができる。また、幕板１９を連続的に光らせるだけでなく、パチンコ機１の遊技状態によって、ＬＥＤ装置４０における１６個のＬＥＤ５０の点灯動作を制御することにより、遊技者の遊技意欲をさらに向上させることもできる。
【００３４】
次に、中枠１２の開閉動作時におけるＬＥＤ装置４０のＬＥＤ５０と、光ファイバー３０との位置関係について説明する。例えば、パチンコ機１における遊技盤（図示外）のメンテナンスや、障害釘の調整等においては、図７に示すように、中枠１２を回動させて開き、遊技盤を外部に露出させる。ここで、本実施形態では、光ファイバー３０の受光端部３０ｂはＬＥＤ装置４０の何れの部分にも接続されていない。そのため、ＬＥＤ装置４０が中枠１２とともに回動するのに対し、１６本の光ファイバー３０は、幕板１９の各貫通孔２０に各々嵌挿されて保持された状態であるので、各ＬＥＤ５０と、各光ファイバー３０の受光端部３０ｂとは互いに離間する。これにより、外枠１１と中枠１２との間で光ファイバー３０が引っ張られないので、中枠１２の開放動作を妨げたり、光ファイバー３０が切断されることがない。
【００３５】
また、中枠１２を閉塞すれば、図３，図６に示すように、ＬＥＤ装置４０の各ＬＥＤ５０と、それに対応する１６本の光ファイバー３０の各受光端部３０ｂとが自動的に対向するので、各ＬＥＤ５０に対する各光ファイバー３０の位置決め作業が不要である。したがって、外枠１１と中枠１２との間に光ファイバー３０を配索させても、中枠１２の開閉動作を妨げないことに加え、光ファイバー３０の受光端部３０ｂをＬＥＤ５０の位置決めを必要としない。さらに、中枠１２の閉塞時では、ＬＥＤ装置４０のＬＥＤ５０と光ファイバー３０の受光端部３０ｂとは互いに所定の隙間をもって離間して対向しているので、中枠１２の開閉時では、ＬＥＤ５０の先端部と光ファイバー３０の受光端部３０ｂとが衝突することもない。したがって、中枠１２の開閉動作をスムーズに行うことができる。なお、本実施形態では、ＬＥＤ５０の先端部と、光ファイバー３０の受光端部３０ｂとは、所定の隙間をもって離間しているが、互いに接触するように構成してもよい。
【００３６】
以上説明したように、第１の実施形態であるパチンコ機１では、中枠１２の背面の下端部に固定されたＬＥＤ装置４０のＬＥＤ５０から照射された光を、光ファイバー３０を介して、外枠１１の幕板１９に設けられた貫通孔２０に伝達して、幕板１９の貫通孔２０を光らせることにより、幕板１９の装飾効果を向上できるものである。さらに、このパチンコ機１では、幕板１９の貫通孔２０に、光ファイバー３０の一端部（発光端部３０ａ）を嵌挿させ、その反対の他端部（受光端部３０ｂ）を、中枠１２側に固定されたＬＥＤ装置４０のＬＥＤ５０に離間して対向させることにより、中枠１２が回動して開かれた場合でも、光ファイバー３０は外枠１１側に保持されるので、外枠１１と中枠１２との間で光ファイバー３０が引っ張られるのを防ぐことができる。
【００３７】
また、中枠１２を閉塞すれば、ＬＥＤ装置４０の各ＬＥＤ５０と、それに対応する光ファイバー３０の受光端部３０ｂとが自動的に対向するので、各ＬＥＤ５０に対する光ファイバー３０の面倒な位置決めが不要となる。これにより、外枠１１と中枠１２との間に光ファイバー３０を配索させても、中枠１２の開閉動作を妨げることがない上、光ファイバー３０の受光端部３０ｂの位置決めを無くすことができる。
【００３８】
また、ＬＥＤ装置４０の各ＬＥＤ５０の先端部と光ファイバー３０の受光端部３０ｂとの間は、所定の隙間をもって離間しているので、中枠１２の開閉時に、各ＬＥＤ５０の先端部と光ファイバー３０の受光端部３０ｂとが衝突しない。したがって、中枠１２の開閉動作をスムーズに行うことができる。
【００３９】
次に、第２の実施形態であるパチンコ機１００について説明する。図８は、第２の実施形態であるパチンコ機１００の外枠１１０の背面側から見た斜視図であり、図９は、ＬＥＤ装置４００と複数の光ファイバー３００との位置関係を示す外枠１１０と中枠１２０との分解斜視図である。なお、図８の紙面手前側を、外枠１１０の背面側とし、紙面裏側を、外枠１１０の前面側とする。また、図９の紙面手前側を、パチンコ機１００の前面側とし、図９の紙面裏側を、パチンコ機１００の背面側とする。
【００４０】
なお、第２の実施形態であるパチンコ機１００は、図９に示すように、第１の実施形態であるパチンコ機１の変形例であり、幕板１９０に設けられた複数の貫通孔２００に一端部が各々嵌挿された１６本の光ファイバー３００の各端部を寄せ集めて一本に束ね、その束ねた１本の受光集合端部３００ｂを、中枠１２０の背面の下端部に固定されたＬＥＤ装置４００のＬＥＤ集合部５１０に対向させた点に特徴を有する。これにより、ＬＥＤ５００の設置個数を減少できるので、ＬＥＤ５００に係るコストを削減することができる。
【００４１】
また、第２の実施形態であるパチンコ機１００は、主に、複数の貫通孔２００に各々嵌挿された複数の光ファイバー３００の配索方法と、ＬＥＤ装置４００の構造とが第１の実施形態と異なる以外は、第１の実施形態であるパチンコ機１の構造とほぼ同じである。したがって、以下の説明では、パチンコ機１００の基本構造については説明を省略し、貫通孔２００を幕板１９０に有する外枠１１０と、光ファイバー３００の配索方法と、ＬＥＤ装置４００の構造とを中心に説明する。
【００４２】
まず、外枠１１０について説明する。図８に示すように、外枠１１０は、第１の実施形態の外枠１１（図４参照）と同じ構成を備え、天板１１０ａ、右縦板１１０ｂ、左縦板１１０ｃ、地板１１０ｄ及び幕板１９０とで構成されている。また、天板１１０ａと左縦板１１０ｃとが接する角部の外側面には上ヒンジ５４０が固定されている。そして、この上ヒンジ５４０は、中枠１２０（図９参照）の左上角部に固定された軸ピン（図示外）とともに、上ヒンジ構造を構成する。一方、幕板１９０の上面左側（図８の右側）には、軸ピン５６０ａを有する下ヒンジ５６０が固定されている。そして、この下ヒンジ５６０の軸ピン５６０ａには、図９に示す中枠１２０の左下角部に固定された掛け部３５０の軸孔３５０ａが掛けられ、下ヒンジ構造をともに構成する。また、幕板１９０の長手方向略中間部よりやや右側（図８のやや左側）の上面には、中枠１２０の開閉動作をスムーズに行う中枠滑り板１６０が固定されている。
【００４３】
さらに、図９に示すように、幕板１９０には、第１の実施形態と同様に、幕板１９０の前面及び背面を貫通して、幕板１９０の長手方向に直交する１６個（図９では６個のみ表示）の貫通孔２００が各々穿設され、幕板１９０の前面における上下２段に８個ずつ横並びに等間隔を空けて列設されている。そして、これら複数の貫通孔２００には、光ファイバー３００の一端部である発光端部３００ａが、幕板１９０の背面側から前面側に向かって各々嵌挿されている。これにより、１６本の光ファイバー３００が外枠１１０の幕板１９０に支持された状態となっている。
【００４４】
次に、光ファイバー３００の配索構造について説明する。図８，図９に示すように、幕板１９０に設けられた１６個の貫通孔２００（図９参照）には、１６本の光ファイバー３００の発光端部３００ａ側が、外枠１１０の背面側から前面側に向かって嵌挿されている。そして、それら１６本の光ファイバー３００は、幕板１９０に各々支持された状態で、下ヒンジ５６０側から２列目の上下一対の貫通孔２００，２００の近傍に向かって略水平に各々配索されている。さらに、それら配索された１６本の光ファイバー３００の各他端部側は、略垂直上方にそれぞれ折り返され、リング状の結束バンド９０によって１本に束ねられている。そして、１６本の光ファイバー３００の他端部が結束されて集合してなる受光集合端部３００ｂは、中枠１２０の閉塞時において、後述するＬＥＤ装置４００のＬＥＤ集合部５１０に対して所定の隙間をもって離間して対向するように配置される。
【００４５】
次に、ＬＥＤ装置４００について説明する。図９に示すように、ＬＥＤ装置４００は、中枠１２０の背面の下端部近傍であって、掛け部３５０の近傍に当接して固定されている。そして、ＬＥＤ装置４００は、第１の実施形態のＬＥＤ装置４０（図５参照）と同じ基本構造を備え、４個のＬＥＤ５００が集合してなるＬＥＤ集合部５１０を備えるＬＥＤ基板（図示外）と、該ＬＥＤ基板を自身の底面側に保持する略直方体状のＬＥＤ基板保持部４１０と、当該ＬＥＤ基板保持部４１０を中枠１２０の背面の下端部近傍に固定する断面略クランク状に成形された金属板である固定金具４２０とで構成されている。また、固定金具４２０の略長方形状の固定片４３０の長手方向両端部近傍には、固定孔４３０ａ，４３０ａが各々穿設されている。そして、この固定片４３０を中枠１２０の背面に当接し、固定孔４３０ａ，４３０ａを、中枠１２０の下端部近傍に穿設された２つの固定孔（図示外）に合わせて、ビス１８，１８を挿入して中枠１２０側に締め付けることにより、ＬＥＤ装置４００が、中枠１２０の背面の下端部近傍に固定される。
【００４６】
また、ＬＥＤ基板保持部４１０は、ＬＥＤ集合部５１０を備えるＬＥＤ基板（図示外）を、自身の底面側に保持するものである。そして、そのＬＥＤ基板は、図示外の配線を介して、中枠１２０の背面側の基板ボックス（図示外）に内蔵された主基板（図示外）に電気的に接続されている。これにより、ＬＥＤ集合部５１０の発光タイミングは、図３に示す基板ボックス８１内の主基板（図示外）に設けられたＣＰＵ（図示外）によって制御されている。そして、このＬＥＤ集合部５１０に対して、上記した１６本の光ファイバー３００の各他端部が結束されてなる受光集合端部３００ｂが対向するようになっている。なお、ＬＥＤ集合部５１０を構成するＬＥＤ５００の個数は、４つよりも多くても少なくてもよく、光ファイバー３００の受光集合端部３００ｂの径の大きさや、光ファイバー３００の発光する明るさによって調整するのが好ましい（例えば、３〜５個）。なお、図９に示すＬＥＤ５００が「発光手段」に相当する。
【００４７】
次に、中枠１２０の閉塞時における幕板１９０の発光方法について説明する。図９に示すように、中枠１２０の閉塞時では、ＬＥＤ装置４００のＬＥＤ集合部５１０の下方には、１６本の光ファイバー３００の受光集合端部３００ｂが位置する。このとき、ＬＥＤ集合部５１０と、１６本の光ファイバー３００の受光集合端部３００ｂとは、所定の隙間をもって離間して対向する。これは、中枠１２０が回動して開放される際に、受光集合端部３００ｂがＬＥＤ集合部５１０の各ＬＥＤ５００の先端に衝突するのを防ぐためである。そして、主基板のＣＰＵ（図示外）からＬＥＤ基板保持部４１０に保持されたＬＥＤ基板（図示外）に向かって制御信号が出力されると、その制御信号にしたがってＬＥＤ基板の各ＬＥＤ５００が点灯（又は点滅）し、ＬＥＤ集合部５１０全体が点灯（又は点滅）する。
【００４８】
すると、点灯（又は点滅）するＬＥＤ集合部５１０から発せられた光によって、光ファイバー３００の受光集合端部３００ｂ全体が照らされる。これにより、受光集合端部３００ｂに照らされた光は、１６本の光ファイバー３００にそれぞれ分割されて、各光ファイバー３００の発光端部３００ａにそれぞれ伝達される。これにより、１６本の光ファイバー３００の各発光端部３００ａが発光する。このように、１本の受光集合端部３００ｂ全体を、４個のＬＥＤ５００で照らすだけで、１６本の光ファイバー３００の各発光端部３００ａを同時に光らせることができる。そして、１本の受光集合端部３００ｂのみを照らすだけでよいので、ＬＥＤ５００の設置個数を必要最低限（本実施形態では４個）まで減らすことができる。これにより、ＬＥＤ５００にかかるコスト分を節約することができる。なお、本実施形態では、ＬＥＤ集合部５１０と、１６本の光ファイバー３００の受光集合端部３００ｂとは、所定の隙間をもって離間しているが、互いに接触するように構成してもよい。
【００４９】
これに加え、１６本の光ファイバー３００からなる受光集合端部３００ｂは、ＬＥＤ装置４００のＬＥＤ集合部５１０には接続されていない。このため、中枠１２０が回動して開放される際において、ＬＥＤ装置４００のＬＥＤ集合部５１０は中枠１２０とともに回動するのに対し、１６本の光ファイバー３００の受光集合端部３００ｂは、幕板１９０側に保持された状態となり、ＬＥＤ集合部５１０と受光集合端部３００ｂとは互いに離間する。したがって、外枠１１０と中枠１２０との間で１６本の光ファイバー３００が一斉に引っ張られることがないので、中枠１２０の開放動作が妨げられたり、光ファイバー３００が切断されたりしない。また、中枠１２０を閉塞すれば、ＬＥＤ装置４００のＬＥＤ集合部５１０と、１６本の光ファイバー３００の受光集合端部３００ｂとが自動的に対向して位置決めされるので、光ファイバー３００の位置決め作業が不要となる。したがって、第１の実施形態と同様に、外枠１１０と中枠１２０との間に１６本の光ファイバー３００を配索させても、中枠１２０の開閉動作を妨げず、光ファイバー３００の受光集合端部３００ｂをＬＥＤ集合部５１０に位置決めする必要もない。
【００５０】
また、光ファイバー３００の受光集合端部３００ｂと、ＬＥＤ装置４００とは、中枠１２０が軸支される側に配置されているので、中枠１２０とともに回動するＬＥＤ装置４００の移動距離が短くなる。これにより、中枠１２の開閉動作が繰り返されても、受光集合端部３００ｂとＬＥＤ装置４００とが対向する位置にズレが生じにくくなるので、ＬＥＤ装置４００のＬＥＤ集合部５１０から発せられた光によって、受光集合端部３００ｂを確実に照らすことができる。
【００５１】
以上説明したように、第２の実施形態であるパチンコ機１００では、幕板１９０に設けられた１６個の貫通孔２００に各々嵌挿された１６本の光ファイバー３００の各端部を結束バンド９０で一本に束ね、その束ねて形成された１本の受光集合端部３００ｂを、中枠１２０側に固定されたＬＥＤ装置４００のＬＥＤ集合部５１０に対向させている。これにより、１本の受光集合端部３００ｂを照らすだけで、１６本の光ファイバー３００の各発光端部３００ａを光らせることができるので、ＬＥＤ集合部５１０を構成するＬＥＤ５００の設置個数を必要最低限に抑えることにより、ＬＥＤ５００に係るコストを削減することができる。
【００５２】
なお、本発明は、以上詳述した第１，第２の実施形態に限定されるものではなく、種々の変更が可能である。まず、本実施の形態では遊技機として、遊技機の一種であるパチンコ機１，１００を例に挙げているが、遊技機はパチンコ機に限られず、パチコン機及びスロット等の各種遊技機に適用可能である。
【００５３】
さらに、第１の実施形態であるパチンコ機１は、光ファイバー３０の設置位置を変更することにより、様々なバリエーションが考えられる。そこで、光ファイバー３０の設置位置を変更した２つの変形例について説明する。図１０は、変形例１であるパチンコ機１５０の要部を示す外枠１１と中枠１２との分解斜視図であり、図１１は、変形例２であるパチンコ機２５０の要部を示す外枠１１と中枠１２との分解斜視図である。なお、第１の実施形態であるパチンコ機１と共通の構造部分については同符号を付すものとする。
【００５４】
まず、変形例１であるパチンコ機１５０は、図１０に示すように、第１の実施形態のパチンコ機１と同じ構造を備え、Ｌ字状に成形された１６本の光ファイバー３３（図１０では、６本のみ図示）の各受光端部（図示外）は、ＬＥＤ装置４０における１６個のＬＥＤ５０が各々突出するＬＥＤ基板保持部４１の各部分に、円筒状の連結部材７０を介して各々接続されている。一方、ＬＥＤ基板保持部４１の各部分に接続されたその光ファイバー３３の発光端部３３ａは、中枠１２の開放時では、外枠１１の幕板１９に設けられた貫通孔２０から抜き出されている。そして、中枠１２が閉塞される場合は、１６本の光ファイバー３３の各発光端部３３ａを、その光ファイバー３３に対応する幕板１９の貫通孔２０に各々挿入する。この状態で、各ＬＥＤ５０が発光することによって、１６本の光ファイバー３３の各発光端部３３ａが発光し、幕板１９の１６個の貫通孔２０を光らせることができる。
【００５５】
さらに、閉塞されていた中枠１２が開放される場合、各貫通孔２０に挿入されていた光ファイバー３３の発光端部３３ａが、中枠１２の回動とともに抜き出される。これにより、中枠１２が開放されても、外枠１１と中枠１２との間で、光ファイバー３３が両側に引っ張られることがないので、中枠１２の開放動作を妨げたり、光ファイバー３３が断線したりするのを防ぐことができる。
【００５６】
次に、変形例２であるパチンコ機２５０は、第１の実施形態であるパチンコ機１と、変形例１であるパチンコ機１５０とを融合させた変形例である。図１１に示すように、外枠１１の幕板１９に設けられた１６個の貫通孔２０には、１６本の光ファイバー３７の発光端部３７ａがそれぞれ嵌挿され、それら光ファイバー３７の発光端部３７ａとは反対の受光端部３７ｂが、略Ｌ字状にそれぞれ上方に折り返されている。一方、ＬＥＤ装置４０における１６個のＬＥＤ５０が各々突出するＬＥＤ基板保持部４１の各部分には、短い直線状の光ファイバー３８の受光端部（図示外）が、円筒状の連結部材７７を介して接続され、反対の発光端部３８ａは鉛直下方に各々延設されている。なお、図１１に示す光ファイバー３８が、「第１の光ファイバー」に相当し、光ファイバー３７が、「第２の光ファイバー」に相当する。
【００５７】
このような、パチンコ機２５０では、中枠１２の閉塞時において、ＬＥＤ基板保持部４１の各部分に各々接続された光ファイバー３８の発光端部３８ａは、各発光端部３８ａに対応する幕板１９の貫通孔２０に嵌挿された光ファイバー３７の受光端部３７ｂに対して、所定の隙間を介して対向する。この状態で、ＬＥＤ装置４０の各ＬＥＤ５０が発光すると、１６本の光ファイバー３８の各発光端部３８ａが発光し、該発光端部３８ａによって、１６本の光ファイバー３７の各受光端部３７ｂが照らされる。すると、その受光端部３７ｂに照らされた光は、その光ファイバー３７の発光端部３７ａに伝達されて発光するので、幕板１９の貫通孔２０を光らせることができる。
【００５８】
また、中枠１２が開放される際には、上述したように、光ファイバー３７の受光端部３７ｂと、光ファイバー３８の発光端部３８ａとが離間しているので、中枠１２の回動とともに、ＬＥＤ装置４０のＬＥＤ５０に接続された光ファイバー３８だけが移動する。これにより、中枠１２が開放されても、外枠１１と中枠１２との間で、光ファイバー３７，３８がともに両側に引っ張られることがないので、中枠１２の開放動作を妨げたり、光ファイバー３７，３８が断線することがない。なお、光ファイバー３８の発光端部３８ａは、本実施形態のように、各発光端部３８ａに対応する幕板１９の貫通孔２０に嵌挿された光ファイバー３７の受光端部３７ｂに対して、所定の隙間をもって離間させるのが好ましいが、接触するように構成してもよい。
【産業上の利用可能性】
【００５９】
本発明の遊技機は、パチンコ機に限られず、パチコン機及びスロット等の遊技機に適用可能である。
【図面の簡単な説明】
【００６０】
【図１】第１の実施形態であるパチンコ機１の全体斜視図である。
【図２】パチンコ機１の正面図である。
【図３】パチンコ機１の背面図である。
【図４】外枠１１を背面側から見た斜視図である。
【図５】ＬＥＤ装置４０と複数の光ファイバー３０との位置関係を示す外枠１１と中枠１２との分解斜視図である。
【図６】中枠１２が閉塞された状態のパチンコ機１の右側面図である。
【図７】中枠１２が開放された状態のパチンコ機１の右側面図である。
【図８】第２の実施形態であるパチンコ機１００の外枠１１０の背面側から見た斜視図である。
【図９】ＬＥＤ装置４００と複数の光ファイバー３００との位置関係を示す外枠１１０と中枠１２０との分解斜視図である。
【図１０】変形例１であるパチンコ機１５０の要部を示す外枠１１と中枠１２との分解斜視図である。
【図１１】変形例２であるパチンコ機２５０の要部を示す外枠１１と中枠１２との分解斜視図である。
【符号の説明】
【００６１】
１    パチンコ機
１１    外枠
１２    中枠
１９    幕板
２０    貫通孔
３０    光ファイバー
３０ａ  発光端部
３０ｂ  受光端部
３３    光ファイバー
３３ａ  発光端部
３７    光ファイバー
３７ａ  発光端部
３７ｂ  受光端部
３８    光ファイバー
３８ａ  発光端部
４０    ＬＥＤ装置
５０    ＬＥＤ（発光手段）
１００    パチンコ機
１１０    外枠
１２０    中枠
１５０    パチンコ機
１９０    幕板
２００    貫通孔
２５０    パチンコ機
３００    光ファイバー
３００ａ  発光端部
３００ｂ  受光集合端部
４００    ＬＥＤ装置
５００    ＬＥＤ（発光手段）
５１０    ＬＥＤ集合部
【図１】
2006320345.tif 000003
【図２】
2006320345.tif 000004
【図３】
2006320345.tif 000005
【図４】
2006320345.tif 000006
【図５】
2006320345.tif 000007
【図６】
2006320345.tif 000008
【図７】
2006320345.tif 000009
【図８】
2006320345.tif 000010
【図９】
2006320345.tif 000011
【図１０】
2006320345.tif 000012
【図１１】
2006320345.tif 000013